(57)【特許請求の範囲】
【請求項１】
物品に設けられたフックを掛け留めることにより、被取付体に対して前記物品を保持させる物品保持具であって、
前記被取付体に設けられた取付孔に取付けられ、内部が中空とされて外箱内壁面に第１の係止部が設けられた外箱と、
前記外箱に内挿され、内部が中空とされて前記フックが挿入されるとともに該挿入されたフックが当接可能な底壁を備えた本体と、前記本体の外壁面に設けられ、本体が外箱に所定位置まで挿入された組付状態で前記第１の係止部に係止する第２の係止部と、前記本体の側壁に弾性変形可能に一体的に設けられ、本体の内壁面よりも内方に突出する突出部を有して挿入された前記フックを該突出部に掛け留めるとともに前記組付状態では突出部の裏面が前記外箱内壁面に接する弾性係合部と、を備えた中子と、
を有するとともに、
前記外箱は更に、
前記外箱内壁面における前記第１の係止部よりも前記本体の挿入方向手前側に設けられ、本体が外箱に前記組付状態まで挿入されない仮挿入位置で前記第２の係止部が係止され且つ該係止状態にある本体の前記底壁に前記フックを前記突出部に掛け留めるための挿入力よりも大きな挿入力が付加されると前記係止状態が解除される第３の係止部と、
前記外箱内壁面における前記仮挿入位置で係止状態にある前記本体の前記弾性係合部との対応位置に設けられ、前記フックの掛け留めによる弾性係合部の弾性変形動作を妨げない凹状の段部と、
を有し、
前記取付孔に取付けられた前記外箱に対して前記仮挿入位置に配置された前記中子に前記フックが挿入され、前記突出部を乗り越えて前記底壁に当接したフックから前記大きな挿入力が付加され、中子が外箱に前記所定位置まで挿入されて突出部の裏面が前記外箱内壁面に接し突出部にフックが掛け留められ前記組付状態とされることにより、前記被取付体に対して前記物品を保持させることを特徴とする物品保持具。
【請求項２】
前記弾性係合部が、前記フックを掛け留める方向に沿って前記本体の側壁に一端が連結され他端側が自由状態とされるとともに該他端側に前記突出部が設けられた弾性部材とされていることを特徴とする請求項１に記載の物品保持具。
【請求項３】
物品に設けられたフックを掛け留めることにより、被取付体に対して前記物品を保持させる物品保持具であって、
前記被取付体に設けられた取付孔に取付けられ、内部が中空とされて開口部入口付近の外箱内壁面に第４の係止部が設けられた外箱と、
前記外箱に前記開口部から挿入されて外壁面が前記外箱内壁面に当接することにより所定間隔に配置される一対の側壁と、前記一対の側壁のそれぞれの前記挿入方向先端部に連結されて一体化され、弾性変形可能とされて一対の側壁を拡開状態から前記所定間隔へと変位自在とする底壁と、前記一対の側壁の各内壁面に対向して設けられ、一対の側壁が前記拡開状態から前記所定間隔へと変位することで近接し前記フックが掛け留められる一対の突出部と、前記一対の側壁の前記外壁面先端側に設けられ、一対の側壁が所定角度拡開された状態で前記第４の係止部に係止されるとともに該係止状態にある一対の側壁を前記外箱に挿入する挿入力が前記底壁に付加されると前記係止状態が解除される第５の係止部と、前記一対の側壁の前記外壁面後端側に設けられ、一対の側壁が前記外箱に挿入され前記所定間隔とされた組付状態で前記第４の係止部に係止する第６の係止部と、を備えた中子と、
を有し、
前記取付孔に取付けられた前記外箱に対して前記第４の係止部に前記第５の係止部が係止され前記一対の側壁が前記所定角度拡開された前記中子の前記底壁に前記フックが当接して前記挿入力が付加され、中子が外箱に挿入されるのに伴い一対の側壁が前記開口部に規制され底壁の撓み変形により前記所定間隔に変位して前記外壁面が前記外箱内壁面に当接し前記突出部にフックが掛け留められ前記組付状態とされることにより、前記被取付体に対して前記物品を保持させることを特徴とする物品保持具。
【発明の詳細な説明】
【０００１】
【発明の属する技術分野】
本発明は物品保持具に関し、特に、車両のリアシートフレームに設けられたフックをパネル（床）に対して保持させる物品保持具に関する。
【０００２】
【従来の技術】
従来の物品保持具として、例えば本出願人が先に提案した特開平８−２１０３３５号公報がある。図１４、１５には、特開平８−２１０３３５号に記載の物品保持具が示されており、図示のように物品保持具１００は、合成樹脂で成形された外箱１０２と中子１０４とで構成されている。
【０００３】
外箱１０２は上面を開口させて内部が中空とされており、側壁外周面の上縁には上側へ拡開するフランジ１０６が、側壁外周面の中間部分からは下側へ拡開する係止フランジ１０８が一体的に設けられている。フランジ１０６、１０８の間には窓孔１１０が穿設されており、係止フランジ１０８の下側に位置する側壁外周面には弾性変形可能な係止爪１１２が設けられている。この外箱１０２をパネルＰの取付孔ｈに挿入すると、係止フランジ１０８が取付孔ｈ周縁の表面を覆うとともに係止爪１１２との間でパネルＰを挟持し、その状態に固定される。
【０００４】
外箱１０２の中空部に内挿される中子１０４は略筒状であり、側壁外周面の上部に、外箱１０２の窓孔１１０に係合する係合突起１１４が一体的に設けられ、側壁内周面には一対の弾性係合部１１６が対向した向きで一体的に設けられている。弾性係合部１１６は側壁と同じ肉厚で内側へ突出し上下端が側壁に連結されており、上端部分には断面略三角形状に突出する膨出部分１１８が対向して配置されている。また弾性係合部１１６に対し側壁内周面の左右位置には、挿入されるリアシートフレームのフックＦを位置決めする位置決め部１２０が各々対向して一体的に設けられ、各位置決め部１２０は中子１０４下面の各脚部１２２に連なっている。
【０００５】
この物品保持具１００によりフックＦを保持するには、中子１０４を外箱１０２に図示の向きで組み込み、パネルＰに取付けてから、フックＦを中子１０４に押し込むことにより行われる。このとき、中子１０４の両弾性係合部１１６はそれぞれの膨出部分１１８がフックＦに押圧されて外方に撓み変形する（図１５（Ａ））。そこからさらにフックＦを押し込んで膨出部分１１８の間を通過させると、両弾性係合部１１６が弾性力で元の状態に戻り、フックＦは膨出部分１１８に係合して保持されることになる（図１５（Ｂ））。
【０００６】
【発明が解決しようとする課題】
ところで、このような物品保持具は保持したフックが簡単に外れるようでは困るため、フックの抜去力（保持力）を用途に合わせ適切に設定している。上述したシート用の物品保持具１００では、安全性等の点から高い抜去力が求められるが、弾性係合部１１６の剛性を増し撓み変形しにくくすることで所望の高い抜去力を確保している。
【０００７】
しかしそれに伴い、フックＦを物品保持具１００（中子１０４）に挿入する挿入力も高くされフック組み付け時の作業性を悪化させる問題が生じている。特に、この組み付け作業が連続して行われる車両の量産工程等では、作業者の負担が大きくなることからフック挿入力の改善が強く望まれている。
【０００８】
本発明は上記事実を考慮して、物品に設けられたフックの掛け留めにおいてその保持力を低下させることなく挿入力のみを低下させてフック組み付け作業性を改善させる物品保持具を提供することを課題とする。
【０００９】
【課題を解決するための手段】
請求項１に記載の発明は、物品に設けられたフックを掛け留めることにより、被取付体に対して前記物品を保持させる物品保持具であって、前記被取付体に設けられた取付孔に取付けられ、内部が中空とされて外箱内壁面に第１の係止部が設けられた外箱と、前記外箱に内挿され、内部が中空とされて前記フックが挿入されるとともに該挿入されたフックが当接可能な底壁を備えた本体と、前記本体の外壁面に設けられ、本体が外箱に所定位置まで挿入された組付状態で前記第１の係止部に係止する第２の係止部と、前記本体の側壁に弾性変形可能に一体的に設けられ、本体の内壁面よりも内方に突出する突出部を有して挿入された前記フックを該突出部に掛け留めるとともに前記組付状態では突出部の裏面が前記外箱内壁面に接する弾性係合部と、を備えた中子と、を有するとともに、前記外箱は更に、前記外箱内壁面における前記第１の係止部よりも前記本体の挿入方向手前側に設けられ、本体が外箱に前記組付状態まで挿入されない仮挿入位置で前記第２の係止部が係止され且つ該係止状態にある本体の前記底壁に前記フックを前記突出部に掛け留めるための挿入力よりも大きな挿入力が付加されると前記係止状態が解除される第３の係止部と、前記外箱内壁面における前記仮挿入位置で係止状態にある前記本体の前記弾性係合部との対応位置に設けられ、前記フックの掛け留めによる弾性係合部の弾性変形動作を妨げない凹状の段部と、を有し、前記取付孔に取付けられた前記外箱に対して前記仮挿入位置に配置された前記中子に前記フックが挿入され、前記突出部を乗り越えて前記底壁に当接したフックから前記大きな挿入力が付加され、中子が外箱に前記所定位置まで挿入されて突出部の裏面が前記外箱内壁面に接し突出部にフックが掛け留められ前記組付状態とされることにより、前記被取付体に対して前記物品を保持させることを特徴としている。
【００１０】
請求項１に記載の発明では、物品保持具が、被取付体の取付孔に取付けられる内部が中空の外箱と、外箱に内挿されて組み付けられるとともに内部が中空とされてフックが掛け留められる中子とにより構成される。
【００１１】
中子は、本体の側壁に弾性変形可能とされた弾性係合部が一体的に設けられており、この弾性係合部が有する本体の内壁面よりも内方に突出する突出部に、挿入されたフックが掛け留められる。すなわち、中子（本体）にフックを挿入すると、突出部がフックに押されて弾性係合部を外方に撓み変形させ、そこからさらにフックを押し込んで突出部を乗り越えさせると、弾性係合部の弾性力で突出部が内方に戻りフックを保持する。
【００１２】
フックを中子に掛け留めた後、中子を外箱に挿入するようフックを押し込むと、中子（本体）は底壁にフックが当接されて外箱へと挿入される。中子が外箱に所定位置まで挿入されると、本体に設けられた第２の係止部が外箱に設けられた第１の係止部に係止して組み付けられる。この組付状態では、弾性係合部の突出部の裏面が外箱内壁面に接しており、これによって、突出部の外方への変位動作（弾性変形）が阻止される。したがって、フックに大きな抜去力が作用するなどしても、突出部は外方に変位（退避）できないことでフックは強固に保持され、物品保持具から容易に外れることはない。
【００１３】
このように、物品のフックを物品保持具に組み付けた状態では、外箱により補強された中子の弾性係合部が突出部によってフックを確実に保持するが、中子を外箱に組み付ける前にフックを中子の本体に挿入して突出部に掛け留める際は、弾性係合部が自由に弾性変形でき、必要に応じて剛性（弾性力）を低下させることができる。これにより、従来のような弾性係合部の剛性のみでフックを保持する構成に対し、本発明では弾性係合部の剛性を十分低く設定してフック掛け留め時の挿入力を小さくすることが可能となり、フック組み付け時の作業性が改善される。
【００１５】
またこの外箱は、外箱内壁面に第３の係止部が設けられている。第３の係止部は第１の係止部よりも中子（本体）の挿入方向手前側に配置されており、この第３の係止部に、中子が外箱に組付状態まで挿入されない仮挿入位置で本体に設けられた第２の係止部が係止することにより、中子が仮止め状態に固定される。
【００１６】
この係止状態（仮止め状態）で中子にフックを挿入すると、突出部がフックに押された弾性係合部は外方に撓み変形しようとする。ここで、弾性係合部と対応する位置の外箱内壁面には凹状の段部が設けられていることにより、弾性係合部は外方に撓み変形することができ、上述したようにフックが弾性係合部の突出部に掛け留められる。そこからさらにフックを押し込むと、すなわち、フックを突出部に掛け留めるための挿入力よりも大きな挿入力を加えると、フックが本体の底壁に当接して中子にその挿入力が作用し、第２の係止部と第３の係止部との係止状態が解除される。この係止解除後は、中子が外箱に所定位置まで挿入され上述通り第２の係止部が第１の係止部に係止して、フックが物品保持具により確実に保持される。
【００１７】
このように、中子が外箱に仮止めできることで、物品保持具を被取付体に取付けるセッティング作業やフックの組み付け作業が容易になる。また、外箱と中子を各単品で取り扱うよりも扱い易く、さらに全体がコンパクト化されるため物流時やストック時のスペース縮小にも繋がる。
【００１８】
請求項２に記載の発明は、請求項１に記載の物品保持具において、前記弾性係合部が、前記フックを掛け留める方向に沿って前記本体の側壁に一端が連結され他端側が自由状態とされるとともに該他端側に前記突出部が設けられた弾性部材とされていることを特徴としている。
【００１９】
請求項２に記載の発明では、上記の弾性係合部が弾性部材とされる。この弾性部材は、中子の本体の側壁に一端を連結して一体的に設けられるとともに突出部が設けられた他端側は自由状態とされた片持梁状であり、しかもフックを掛け留める方向に沿って配置されている。そのため、フックの中子への挿入に対しては容易に撓み変形できるようになり、このような簡単な構造によってフック挿入力の低下が実現される。
【００２０】
請求項３に記載の発明は、物品に設けられたフックを掛け留めることにより、被取付体に対して前記物品を保持させる物品保持具であって、前記被取付体に設けられた取付孔に取付けられ、内部が中空とされて開口部入口付近の外箱内壁面に第４の係止部が設けられた外箱と、前記外箱に前記開口部から挿入されて外壁面が前記外箱内壁面に当接することにより所定間隔に配置される一対の側壁と、前記一対の側壁のそれぞれの前記挿入方向先端部に連結されて一体化され、弾性変形可能とされて一対の側壁を拡開状態から前記所定間隔へと変位自在とする底壁と、前記一対の側壁の各内壁面に対向して設けられ、一対の側壁が前記拡開状態から前記所定間隔へと変位することで近接し前記フックが掛け留められる一対の突出部と、前記一対の側壁の前記外壁面先端側に設けられ、一対の側壁が所定角度拡開された状態で前記第４の係止部に係止されるとともに該係止状態にある一対の側壁を前記外箱に挿入する挿入力が前記底壁に付加されると前記係止状態が解除される第５の係止部と、前記一対の側壁の前記外壁面後端側に設けられ、一対の側壁が前記外箱に挿入され前記所定間隔とされた組付状態で前記第４の係止部に係止する第６の係止部と、を備えた中子と、を有し、前記取付孔に取付けられた前記外箱に対して前記第４の係止部に前記第５の係止部が係止され前記一対の側壁が前記所定角度拡開された前記中子の前記底壁に前記フックが当接して前記挿入力が付加され、中子が外箱に挿入されるのに伴い一対の側壁が前記開口部に規制され底壁の撓み変形により前記所定間隔に変位して前記外壁面が前記外箱内壁面に当接し前記突出部にフックが掛け留められ前記組付状態とされることにより、前記被取付体に対して前記物品を保持させることを特徴としている。
【００２１】
請求項３に記載の発明では、外箱の開口部入口付近の外箱内壁面に設けた第４の係止部に、中子の一部を構成する一対の側壁の外壁面先端側に設けた第５の係止部を係止させて中子を外箱に仮止めする。このとき、一対の側壁は各先端部に連結された弾性変形可能な底壁の弾性力で外箱の開口部よりも大きく（所定角度）拡開し、側壁間に空間を形成してフックの掛け留めを可能とする。
【００２２】
この側壁間にフックを配置し押し込むと、フックは底壁に当接し、その挿入力によって第５の係止部が第４の係止部から係止解除され、中子（一対の側壁）は外箱へと挿入される。それに伴い、一対の側壁は底壁の撓み変形により間隔を狭め各外壁面を外箱内壁面に当接させて所定間隔とされる。そしてこの閉塞動作より、一対の側壁の各内壁面に対向して設けられた突出部が近接し、フックを掛け留める。外箱に挿入されてフックを突出部に掛け留めた中子は、一対の側壁の外壁面後端側に設けた第６の係止部が外箱の第４の係止部に係止されて組み付けられる。
【００２３】
これにより、フックは被取付体に取付けられた物品保持具に保持されることになり、ここでも、中子の一対の側壁は外箱により拡開できないようにされているため、フックに抜去力が作用しても容易に外れることはない。また、フックを中子に掛け留めるために必要とされる力は仮止め状態の中子を外箱に挿入する挿入力のみであるため容易に挿入できる。
【００２４】
【発明の実施の形態】
［第１の実施形態］
以下、図面を参照して本発明の第１の実施形態を説明する。図１には、本発明の第１の実施形態に係る物品保持具の分解斜視図が示されており、図２〜図５には、物品保持具を構成する各部材が示されている。図示のように物品保持具１０は、従来と同様、外箱１２と中子１４とで構成され、共に合成樹脂（ＰＰ又はＰＯＭ）で成形されている。
【００２５】
外箱１２は上面を開口させて内部が中空とされており、中空部は横断面形状が略矩形とされている。中空部の内壁面２０における短手方向に対向する両内壁面は、開口側（入口側）が所定深さまで間隔を広くした幅広部２２とされており、この幅広部２２からテーパー部２４を経た奥側が幅広部２２よりも間隔を狭くした幅狭部２６とされている（図３参照）。
【００２６】
また外箱１２は、側壁２８の上縁に上側へ拡開するフランジ３０が一体的に設けられており、フランジ３０の少し下方に位置する側壁２８外周面には下側へ拡開する係止フランジ３２が一体的に設けられている。この係止フランジ３２の下側には、上述した内壁面２０の幅広部２２に一対の矩形孔３４が対向して穿設されており、一対の矩形孔３４の上方には、フランジ３０と係止フランジ３２との間に位置する上側へ拡開したテーパー面に一対の矩形孔３６が穿設されている。また矩形孔３４の両側端縁部外壁面には、係止爪３８がそれぞれ設けられている。
【００２７】
この外箱１２をパネルＰの取付孔ｈに挿入すると、従来と同じく係止フランジ３２が取付孔ｈ周縁の表面を覆い、また係止爪３８が取付孔ｈに係止して仮固定されるようになる。
【００２８】
一方、中子１４は、上面及び長手方向で対向する両側面の下部側を開口し内部が中空とされて外箱１２の中空部に内挿される本体部４０を備えている。本体部４０は、外箱１２の幅広部２２及び幅狭部２６に対応して短手方向に対向する両側壁４２の上部側の幅寸法が広く、下部側の幅寸法が狭くされている。さらに本体部４０の長手方向外幅寸法は外箱１２の内壁面２０の長手内幅寸法に揃えられており、後述する外箱１２への組付状態ではほぼガタなく内挿されるようになっている。
【００２９】
また側壁４２の下端部は、挿入されるフックＦの先端部断面形状にほぼ沿って断面が円弧状とされた底壁４４とされており（図５参照）、側壁４２外壁面の上部には、外箱１２の矩形孔３４、３６に係合する一対の突起部４６が一体的に設けられている。突起部４６は、突出面が下方へ向けて縮小傾斜するテーパー面とされており、矩形孔３４又は矩形孔３６への係合において、挿入力よりも抜去力の方が大きくなるようにされている。
【００３０】
さらに側壁４２には、この突起部４６の下方位置に一対の弾性係合部４８が対向した向きで一体的に設けられている。弾性係合部４８は、上端が側壁４２に連結され下端側が自由状態とされた、すなわちフックＦを掛け留める方向に沿って配置された片持梁状の弾性部材であり、弾性により下端側を本体部４０（中子１４）の外方あるいは内方に容易に変位できるようにされている。また外壁面４８Ａは側壁４２の外壁面に沿わせた形状とされている。
【００３１】
この両弾性係合部４８の内壁面には、下方へ向けてなだらかに縮小傾斜するテーパー面を有して側壁４２の内壁面よりも内方に突出する突出部５０が対向して設けられている。この両突出部５０の最狭部の間隔は、図５に示すような弾性係合部４８への負荷が無い状態でフックＦの断面幅寸法よりも狭くなるよう設定されている。
【００３２】
次に、本実施形態の作用を説明する。図６及び図７には、パネルＰに取付けた物品保持具１０によりフックＦを保持した状態が示されており、図８〜図１１にはその組み付け手順が示されている。
【００３３】
まず、物品保持具１０を構成する外箱１２と中子１４とを仮止めしておく。本実施形態では、図１に示した向きで外箱１２に中子１４を挿入すると、中子１４の突起部４６が挿入方向手前側に配置された外箱１２の矩形孔３６に係止し、図８のように仮止め状態に固定される。この仮止め状態では中子１４の弾性係合部４８が外箱１２の幅広部２２に位置しており、弾性係合部４８は外方へ所定範囲弾性変形できるようにされている。この状態で物品保持具１０をパネルＰの取付孔ｈに挿入すると、前述したように係止爪３８が外箱１２の側壁２８の弾性力により取付孔ｈに係止してセッティングされる。
【００３４】
次に、フックＦを物品保持具１０の中子１４に図１の向きで挿入すると、フックＦの先端部に押された突出部５０は図９のように弾性係合部４８を外方に撓み変形させる。そのままフックＦを押し込んで突出部５０を乗り越えさせると、弾性係合部４８の弾性力で突出部５０が内方に戻り、図１０のようにフックＦを掛け留める。
【００３５】
さらにフックＦを押し込むと、フックＦが中子１４の底壁４４に当接してその挿入力が中子１４に及ぶ。これにより、突起部４６は矩形孔３６から係止解除され、中子１４は外箱１２へと挿入される。中子１４が外箱１２に所定位置まで挿入されると、図１１のように突起部４６がパネルＰの取付孔ｈを通り抜けて取付孔ｈに係止し、中子１４及び外箱１２は共にパネルＰに強固に固定されることになる。
【００３６】
この組付状態では、弾性係合部４８の外壁面４８Ａが外箱１２の内壁面２０の幅狭部２６に当接しており、よって、突出部５０は外方へ変位できないようにされている。したがって、フックＦは突出部５０が拡開できないことで強固に保持され、物品保持具１０から外れにくくされる。
【００３７】
以上説明したように、本実施形態に係る物品保持具１０では、仮止め状態のときは中子１４の弾性係合部４８が外箱１２の幅広部２２に位置して外方及び戻り方向（内方）への弾性変形によりフックＦを突出部５０に掛け留めることができ、組付状態のときは外箱１２により補強された弾性係合部４８が突出部５０によりフックＦを確実に保持する。このため、弾性係合部４８の剛性を低く設定してもフックＦの保持力が低下することはなく、よってフック組み付け時の作業性を改善することができる。
【００３８】
また本実施の形態では、中子１４を外箱１２に組付状態まで挿入しない仮挿入位置のときに突起部４６が矩形孔３６に係止して仮止めされるため、物品保持具１０のセッティング作業やフックＦの組み付け作業が容易になる。また、外箱１２と中子１４を各単品で取り扱うよりも扱い易くなり、全体的にもコンパクトになって在庫スペース等が縮小される。
【００３９】
さらに本実施の形態では、弾性係合部４８をフックＦの掛け留め方向に沿って配置した片持梁状の弾性部材とし、フックＦの掛け留めに対し容易に撓み変形できる構造としたことにより、フックＦの挿入力を十分低くすることができている。
【００４０】
なお本実施形態の物品保持具では、フックＦの抜去力が直接加わる中子１４をパネルＰに強固に取付けるため、組付状態で中子１４の突出部５０をパネルＰの取付孔ｈに係止させるようにしている。しかしこの取付け構造は、従来のような外箱の外壁面に設けた係止爪等を利用するものでも構わない。その場合、組付状態では突出部５０が外箱１２の矩形孔３４に係止して固定されるようになる。
【００４１】
また、フックＦを掛け留める突出部５０を設けた弾性係合部４８や、中子１４を外箱１２に仮止め及び組付状態に保持する突起部４６と矩形孔３４、３６の配置は何れか片側のみでもよい。さらに弾性係合部４８は、側壁４２に下端を連結させて上端側を変位させるようにしてもよい。
【００４２】
［第２の実施形態］
次に、本発明の第２の実施形態について説明する。この第２の実施形態では、上記第１の実施形態で説明した構成と同一構成部品もしくは同じ機能を果たす構成部品について同一符合を付し、その説明を省略する。
【００４３】
図１２及び図１３には、本発明の第２の実施形態に係る物品保持具６０の側断面図が示されている。物品保持具６０の外箱６２は、中子６４を仮止め及び所定位置に組み付けるための係止部となる一対の矩形孔６６が係止フランジ３２の下側（開口部入口付近）に配置されている。
【００４４】
一方、中子６４は、図示のように一対の側壁６８と、一対の側壁６８の挿入方向先端部を連結し側壁６８に一体化されるとともに弾性変形可能とれた底壁７０を備えている。両側壁６８は、この底壁７０の弾性力により図１２のような仮止め状態では外箱６２の開口部よりも大きく拡開し、両側壁６８の間に空間を形成している。この両側壁６８の各内壁面には、一対の突出部５０が対向して配置されており、よって両側壁６８が底壁７０の撓み変形により拡開状態から閉塞方向へと変位すると、両突出部５０は互いに近接してフックＦを掛け留められるようになる。
【００４５】
また、両側壁６８の外壁面先端側には一対の係止爪７２が設けられており、この係止爪７２が外箱１２の矩形孔６６に係止した仮止め状態（図１２参照）では、両側壁６８が所定角度拡開されるようにされている。さらに両側壁６８の外壁面後端側には、一対の係止突起７４が設けられている。
【００４６】
したがって、この物品保持具６０によりフックＦを保持するには、仮止め状態とした中子６４の側壁６８間にフックＦを配置して押し込む。するとフックＦが中子６４の底壁７０に当接し、その挿入力によって係止爪７２が外箱６２の矩形孔６６から係止解除され、中子６４は外箱６２へと挿入される。これに伴い、両側壁６８は外箱６２の開口部に規制されながら底壁７０の撓み変形により間隔が狭められていき、所定位置まで挿入されると各外壁面６８Ａを外箱６２の幅広部２２に当接させて所定の間隔に配置される。この閉塞動作よってフックＦは突出部５０に掛け留められ、同時に中子１４の係止突起７４が外箱６２の矩形孔６６及びパネルＰの取付孔ｈに係止して、図１３に示す組付状態とされる。
【００４７】
このように、第２実施形態の物品保持具６０では、中子６４の側壁６８がフックＦを略内包した格好で外箱６２に当接し拡開不能とされてフックＦを保持している。そしてこの組み付けのためのフック挿入力は、係止爪７２が矩形孔６６に係合して仮止めされている中子６４を外箱６２に挿入する挿入力と、係止突起７４を矩形孔６６に係止させる挿入力のみであり、ここでもフック挿入力が従来に比べて大幅に低減され組み付け作業が容易となる。
【００４８】
なお、この第２の実施形態でも、フックＦを掛け留めるための側壁６８の突出部５０や、係止爪７２及び係止突起７４と矩形孔６６の配置は、何れか片側のみでもよい。
【００４９】
さらに本発明は、上記第１及び第２実施形態で説明したようなシートのフックをパネルに対して保持させる物品保持具に限らず、他の物品の保持においても適用可能である。
【００５０】
【発明の効果】
本発明の物品保持具は上記構成としたので、物品に設けられたフックの掛け留めにおいてその保持力を低下させることなく挿入力のみを低下させてフック組み付け作業性を改善することができる。
【図面の簡単な説明】
【図１】本発明の第１の実施形態に係る物品保持具を示す一部を破断した分解斜視図である。
【図２】図１の外箱の右側半分を断面とした正面図である。
【図３】図１の外箱の右側半分を断面とした側面図である。
【図４】図１の中子の右側半分を断面とした正面図である。
【図５】図１の中子の右側半分を断面とした側面図である。
【図６】図１の物品保持具にフックを組み付けた状態の平面図である。
【図７】図６のＡ−Ａ線による断面図である。
【図８】物品保持具にフックを組み付ける動作を説明する側断面図である。
【図９】物品保持具にフックを組み付ける動作を説明する側断面図である。
【図１０】物品保持具にフックを組み付ける動作を説明する側断面図である。
【図１１】図６のＢ−Ｂ線による断面図である。
【図１２】本発明の第２の実施形態に係る物品保持具の仮止め状態を示す側断面図である。
【図１３】図１２の物品保持具の組付状態を示す側断面図である。
【図１４】従来の物品保持具を示す一部を破断した分解斜視図である。
【図１５】従来の物品保持具にフックを組み付ける動作を説明する側断面図である。
【符号の説明】
１０        物品保持具
１２        外箱
１４        中子
２０        内壁面（外箱内壁面）
２２        幅広部（段部）
３４        矩形孔（第１の係止部）
３６        矩形孔（第３の係止部）
４０        本体部（本体）
４２        側壁
４４        底壁
４６        突起部（第２の係止部）
４８Ａ      外壁面（裏面）
４８        弾性係合部（弾性部材）
５０        突出部
６０        物品保持具
６２        外箱
６４        中子
６６        矩形孔（第４の係止部）
６８        側壁
６８Ａ      外壁面
７０        底壁
７２        係止爪（第５の係止部）
７４        係止突起（第６の係止部）
Ｆ          フック
Ｐ          パネル（被取付体）
ｈ          取付孔
【図１】
0003842530.tif 000002
【図２】
0003842530.tif 000003
【図３】
0003842530.tif 000004
【図４】
0003842530.tif 000005
【図５】
0003842530.tif 000006
【図６】
0003842530.tif 000007
【図７】
0003842530.tif 000008
【図８】
0003842530.tif 000009
【図９】
0003842530.tif 000010
【図１０】
0003842530.tif 000011
【図１１】
0003842530.tif 000012
【図１２】
0003842530.tif 000013
【図１３】
0003842530.tif 000014
【図１４】
0003842530.tif 000015
【図１５】
0003842530.tif 000016